(57)【特許請求の範囲】
【請求項１】
天板（２）の前後端部に前後脚（３、４）の各上端部を折りたたみ自在に連結し、天板（２）の前端部と前脚（３）の上端部との間に天板（２）が水平な使用姿勢（Ａ）と天板（２）に対して前脚（３）を折りたたむ折りたたみ姿勢（Ｂ）とで両者をロックするロック機構（５）を設けており、
このロック機構（５）は、天板（２）に固定の支持材（６）と、この支持材（６）に左右方向摺動自在に支持されかつ先端が突出して前脚（３）に係合可能なロックピン（７）と、このロックピン（７）を突出方向に付勢する付勢手段（８）とを有し、
前記ロックピン（７）にはこれをピン軸芯廻りに回動させる解除レバー（９）を有し、前記支持材（６）と解除レバー（９）との間に、解除レバー（９）を天板（２）に対して外向きに回動することによりロックピン（７）を付勢手段（８）に抗して摺動させるピン後退手段（１０）を設けていることを特徴とする折りたたみ作業台。
【請求項２】
前記ロック機構（５）のピン後退手段（１０）は、前記支持材（６）に解除レバー（９）と当接可能に形成されていて解除レバー（９）の回動をピン軸芯方向移動に変換するカム部（６Ａ）であることを特徴とする請求項１に記載の折りたたみ作業台。
【請求項３】
前記ロック機構（５）は天板（２）の左右少なくとも一側部に位置し、使用姿勢（Ａ）において、解除レバー（９）はロック状態のロックピン（７）から天板（２）に対して外下向き姿勢でありかつ外上向き回動可能になっていることを特徴とする請求項１又は２に記載の折りたたみ作業台。
【請求項４】
前記ロック機構（５）は天板（２）の左右両側部に位置し、左右解除レバー（９）を解除レバー（９）のピン軸芯方向移動を許容しながら同時回動させる連動部材（１１）で連結していることを特徴とする請求項１又は２に記載の折りたたみ作業台。
【発明の詳細な説明】
【技術分野】
【０００１】
本発明は、高所作業等に使用可能な折りたたみ作業台に関する。
【背景技術】
【０００２】
折りたたみ作業台の従来技術においては、特許文献１に開示されているように、天板の前後両縁部に、前後の脚のそれぞれの上端部がいずれも天板に対して揺動して、作業台使用時の開状態および作業台格納時の閉状態になりうるように連結されており、天板および前後の脚を開状態および作業台格納時の閉状態にロックするロック機構が、前後の脚の揺動中心に対して接近・離隔しうる揺動端部を有するロック機構作動用ロックレバーを備えており、前記ロック機構が、前後の脚のいずれか一方の揺動中心付近に固定されかつ同揺動中心を中心とする円周上に間隔をおいてあけられている開状態および閉状態に対応する２つのロック孔を有するロックプレートと、両ロック孔に出没しうるように天板に支持されかつロックレバーによって進退させられるロックピンとを備えている（請求項１、２）。
【０００３】
そして、ロックレバーは摘みを前側（前脚から離れる方向）へ揺動することにより、ロックレバーの短板の前側の縁部を支点として、ロックレバーが前側に揺動させられ、揺動する短板によってロックピンが引っ張られ、これにより、開状態用ロック孔からロックピンが抜け出し、天板および前脚の相対的揺動が自由となるように構成されている（公報段落番号００１８）。
【先行技術文献】
【特許文献】
【０００４】
【特許文献１】特開２００９−１８００６４号公報
【発明の概要】
【発明が解決しようとする課題】
【０００５】
前記従来技術は、作業台を折りたたむためにロックを解除する際、天板の端部に配置されているロックレバー（解除レバー）を前側、即ち、天板においては奥側へ揺動（内向き回動）することになるため、ロックレバーの揺動方向と前脚を持ち上げる方向とが相反する方向となり、折りたたみ作業がやり難いものとなっている。
本発明は、このような従来技術の問題点を解決できるようにした折りたたみ作業台を提供することを目的とする。
【０００６】
本発明は、解除レバーを天板の端部で外向きに回動することによりロック機構を解除でき、折りたたみ作業が容易にできるようにした折りたたみ作業台を提供することを目的とする。
【課題を解決するための手段】
【０００７】
本発明における課題解決のための具体的手段は、次の通りである。
第１に、天板２の前後端部に前後脚３、４の各上端部を折りたたみ自在に連結し、天板２の前端部と前脚３の上端部との間に天板２が水平な使用姿勢Ａと天板２に対して前脚３を折りたたむ折りたたみ姿勢Ｂとで両者をロックするロック機構５を設けており、
このロック機構５は、天板２に固定の支持材６と、この支持材６に左右方向摺動自在に支持されかつ先端が突出して前脚３に係合可能なロックピン７と、このロックピン７を突出方向に付勢する付勢手段８とを有し、
前記ロックピン７にピン軸芯廻りに回動させる解除レバー９を設け、前記支持材６と解除レバー９との間に、解除レバー９を天板２に対して外向きに回動することによりロックピン７を付勢手段８に抗して摺動させるピン後退手段１０を設けていることを特徴とする。
【０００８】
第２に、前記ロック機構５のピン後退手段１０は、前記支持材６に解除レバー９と当接可能に形成されていて解除レバー９の回動をピン軸芯方向移動に変換するカム部６Ａであることを特徴とする。
第３に、前記ロック機構５は天板２の左右少なくとも一側部に位置し、使用姿勢Ａにおいて、解除レバー９はロック状態のロックピン７から天板２に対して外下向き姿勢でありかつ外上向き回動可能になっていることを特徴とする。
【０００９】
第４に、前記ロック機構５は天板２の左右両側部に位置し、左右解除レバー９を解除レバー９のピン軸芯方向移動を許容しながら同時回動させる連動部材１１で連結していることを特徴とする。
［作用］
前記特徴を有する折りたたみ作業台は次のような作用を奏する。
【００１０】
使用姿勢Ａのとき、天板２は前後端部に連結された前後脚３、４の上端部に支持され、ロック機構５によって天板２の前端部と前脚３の上端部とは揺動が阻止されている。
この使用姿勢Ａにおいて、解除レバー９を天板２に対して外向きに回動することにより、ピン後退手段１０によってロックピン７が付勢手段８に抗して摺動され、ロック解除状態になる。
【００１１】
前記解除レバー９は天板２に対して外向きに回動操作されるので、そのまま上方へ持ち上げることができ、前脚３を折りたたむために持ち上げる力を略同一方向の力、助力となり、作業台の折りたたみが容易になる。
前記ロック機構５のピン後退手段１０は、前記支持材６に解除レバー９と当接可能に形成されていて解除レバー９の回動をピン軸芯方向移動に変換するカム部６Ａであり、容易に形成できる。
【００１２】
前記ロック機構５は天板２の左右少なくとも一側部に位置し、作業台の左右側方から使用姿勢Ａと折りたたみ姿勢Ｂとに姿勢変更でき、使用姿勢Ａのときに解除レバー９はロック状態のロックピン７から天板２に対して外下向き姿勢であり、解除レバー９の解除回動は外上向きとなるので、前脚３を折りたたむために持ち上げる方向と略同一となり、作業台の折りたたみがより容易になる。
【００１３】
ロック機構５を天板２の左右両側部に設けて、左右解除レバー９を連動部材１１で連結することにより、左右ロック機構５を同時に回動させることができる。
【発明の効果】
【００１４】
本発明によれば、解除レバーを天板の端部で外向きに回動することによりロック機構を解除でき、折りたたみ作業が容易にできる。
【図面の簡単な説明】
【００１５】
【図１】本発明の実施形態を示す要部の斜視図である。
【図２】同要部の側面図である。
【図３】同要部の正面図である。
【図４】同要部の底面図である。
【図５】使用姿勢の作業台の側面図である。
【図６】使用姿勢の作業台の正面図である。
【図７】折りたたみ姿勢の作業台の側面図である。
【図８】折りたたみ姿勢の作業台の正面図である。
【図９】ロック機構の変形例を示す正面図である。
【発明を実施するための形態】
【００１６】
以下、本発明の実施の形態を図面に基づいて説明する。
図１〜８において、折りたたみ作業台１は１枚の天板２と、この天板２の前後端部に各上端部が折りたたみ自在に連結された前後脚３、４とを備え、天板２の前端部と前脚３の上端部との間にロック機構５が設けられ、このロック機構５によって、天板２が水平な使用姿勢Ａと、天板２に対して前脚３を折りたたむ折りたたみ姿勢Ｂとに姿勢変更可能になっている。
【００１７】
前記天板２は、平板状の踏み板部２Ａの下面に前後複数本の横梁材部２Ｂを一体成形し、これら踏み板部２Ａ及び横梁材部２Ｂの左右両端にチャンネル状の縁材２Ｃを固定して形成されている。この天板２の左右前端には連結具１４がボルト固定されており、この連結具１４の下面には外上向きに傾斜した受持面１４ａが形成されている。
前記後脚４は、下広がり状に配置された左右一対の後脚柱４Ａを上下複数段（実施形態では２段）の後横桟４Ｂで連結しており、左右後脚柱４Ａの上端には揺動具１５が固定されており、この揺動具１５が揺動ピン１６を介して天板２の後端に連結されている。
【００１８】
後脚４の上下方向中途部には支持板４Ｃが固定され、この支持板４Ｃに連係杆１７の後端が連結されている。この連係杆１７は前端が前脚３に連結されており、使用姿勢Ａのときには前後脚３、４が前後外方向に広がるのを牽制している。前記連係杆１７は作業台１の左右に一対設けられている。
前記連係杆１７は、図５、７に示されるように、前後脚３、４を折りたたむとき及び折りたたみ姿勢Ｂにしたときも、前後脚３、４との連結が解除されることなく姿勢変更できるように両端間寸法が設定されている。
【００１９】
前記前脚３は、下広がり状に配置された左右一対の前脚柱３Ａを上下複数段（実施形態では２段）の前横桟３Ｂで連結しており、左右前脚柱３Ａの上端には端面部材３Ｃが設けられかつ外面に回動具１９が固定されており、この回動具１９が回動ピン２０を介して天板２の前端の連結具１４に連結されている。
前記回動具１９は左右前脚柱３Ａの上端の左右外面に固着され、天板２の左右連結具１４の左右外面に対面しており、ボルトで形成した回動ピン２０が連結具１４と回動具１９とに貫通している。回動ピン２０は天板２の前部の下方でかつ天板２の上部より後方に位置している。
【００２０】
前脚３の左右前脚柱３Ａは、上端の端面部材３Ｃが連結具１４の受持面１４ａに当接可能であり、使用姿勢Ａのときに、天板２の前部の荷重を左右前脚柱３Ａで支持し、回動ピン２０と荷重支持分担する構造となっている。
前脚３の地面に対する傾斜角度は後脚４に比べて小さくなっており、使用姿勢Ａでの開脚角は前脚３が後脚４より大きく、使用者は後脚４を使用するよりも前脚３の方が昇降し易くなっている。
【００２１】
前記ロック機構５は、天板２に固定の支持材６と、この支持材６に左右方向摺動自在に支持されロックピン７と、このロックピン７を突出方向に付勢する付勢手段８と、この付勢手段８に抗してロックピン７を摺動させるピン後退手段１０とを有する。
支持材６は板金をコ字状に折曲したもので、中央上部が踏み板部２Ａの裏面に固定されており、左右両端面にピン孔６ｂが形成され、左右外側端面から内方に屈曲した板部分を有し、この板部分にピン後退手段１０を構成するカム部６Ａが形成されている。
【００２２】
前記ロックピン７は、１本の棒材を屈曲して、先端直線部７ａと、この先端直線部７ａから直角に折曲されている第１屈曲部７ｂと、この第１屈曲部７ｂから直角に折曲されていて先端直線部７ａと平行な平行部７ｃと、この平行部７ｃから直角に折曲されている第２屈曲部７ｄと、この第２屈曲部７ｄから直角に折曲されていて前記先端直線部７ａと同芯の基部直線部７ｅとを形成している。
【００２３】
前記先端直線部７ａはロックピン７として作用し、第１屈曲部７ｂは解除レバー９として作用し、平行部７ｃは解除レバー９を回動するための把持部として作用し、基部直線部７ｅは付勢手段８の一部を構成している。
前記先端直線部７ａ及び基部直線部７ｅは支持材６のピン孔６ｂに摺動自在に貫通され、基部直線部７ｅには支持材６との間にスプリング２２が嵌装され、ロックピン７を突出方向に付勢する付勢手段８が構成されている。
【００２４】
ロックピン７は回動ピン２０と平行であり、天板２の縁材２Ｃ及び連結具１４を貫通しており、連結具１４から出退自在であり、突出することにより回動具１９と係合可能である。
前記回動具１９には回動ピン２０を中心に回動方向２箇所にロックピン孔１９ａ、１９ｂが穿孔されている。ロックピン孔１９ａは使用姿勢Ａ時にロックピン７と係合し、ロックピン孔１９ｂは折りたたみ姿勢Ｂ時にロックピン７と係合し、それぞれの姿勢を変更できないようにロックする。
【００２５】
第１屈曲部７ｂで形成された解除レバー９は側面視でくの字形状に折曲されており、図２の使用姿勢Ａの側面図において、ロックピン７の基端から前下向きに突出しかつその先端から水平前方に突出しており、使用姿勢Ａ時に天板２及びロックピン７に対して外下向き姿勢である。
解除レバー９はそれ自体を把持することもできるが、解除レバー９の先端から屈曲している平行部７ｃを把持部として使用し、前記外下向き姿勢から外上向き回動することにより、ロックピン７にピン軸芯廻りに回動させることができる。この解除レバー９は支持材６の板部分に形成されているカム部６Ａ及び凹部６Ｂと当接している。
【００２６】
前記凹部６Ｂは解除レバー９と当接してロックピン７の突出位置を設定しかつロックピン７の後退を可能にしており、カム部６Ａは凹部６Ｂから連続して形成されている。
前記カム部６Ａは、図１、４に示すように、天板２の前端部において奥側の左右外側から前側の左右内側へ傾斜したカム面６ａが形成されており、このカム面６ａに当接している解除レバー９を回動すると、解除レバー９はカム面６ａを摺接し、天板２の前端部において左右方向内方へ移動し、ロックピン７を後退直進移動させる。
【００２７】
従って、前記カム部６Ａによって、解除レバー９の回動をロックピン７のピン軸芯方向の移動に変換することができ、前記支持材６と解除レバー９との間に、解除レバー９を天板２に対して外向きに回動することによりロックピン７を付勢手段８に抗して摺動させるピン後退手段１０を構成している。
前記ロック機構５は、図１〜８において、天板２の左側にのみ配置しているが、右側に配置したり左右両側に配置したりしてもよく、平行部７ｃを含む解除レバー９の把持部は、ロックピン７よりも天板２の前端側に位置し、ロックピン７から外下向きに突出していることが好ましく、回動するときに外下向き姿勢から外上向き姿勢まで回動操作できればよい。解除レバー９の把持部はロックピン７の真下に位置しても回動操作できるが、外下向き姿勢の方が回動操作がやり易い。
【００２８】
次に、作業台１の使用姿勢Ａと折りたたみ姿勢Ｂの姿勢変更動作を説明する。
ロック機構５を天板２の左右一側に配置している場合は、作業台１の前面、即ち、前脚３の前に立つか、またはロック機構５を設けている側の側面に立ち、ロック機構５を天板２の左右両側に配置している場合は、作業台１の前面に立ち、解除レバー９を天板２に対して外下向き姿勢から外上向き（図２、４の矢印Ｓ方向）へ回動する。なお、ロック機構５が一側の場合は解除レバー９を片手で操作可能である。
【００２９】
解除レバー９を図５の使用姿勢Ａから回動すると、ピン後退手段１０のカム部６Ａによって回動がピン軸芯方向移動に変換され、ロックピン７とともに付勢手段８に抗して摺動され、ロックピン７は回動具１９のロックピン孔１９ａから抜け出し、天板２に対して前脚３をロックしている状態から解除する。
回動した解除レバー９をその回動方向の延長動作として上方向へ移動すると、その力は前脚３を折りたたむために持ち上げる力を略同一方向の力、助力となり、前脚３をたやすく持ち上げることができ、前脚３の持ち上げによって天板２の前端が持ち上げられ、天板２は後脚４に対して屈曲した使用姿勢Ａから伸展するロック解除状態になる。
【００３０】
前脚３を持ち上げて天板２と２枚重ね状態にし、天板２及び後脚４を保持して解除レバー９から手を離すと、付勢手段８によって解除レバー９はカム部６Ａのカム面６ａを逆方向に摺動し、解除レバー９は戻り回動しながらロックピン７とともに左右外方へ移動する。ロックピン７は左右外方へのピン軸芯方向移動によって回動具１９のロックピン孔１９ｂと係合し、作業台１を折りたたみ姿勢Ｂにロックする。
【００３１】
作業台１を折りたたみ姿勢Ｂから使用姿勢Ａにするには、前記折りたたみと逆動作をすればよく、解除レバー９を解除操作するための回動操作は、天板２の前端及び前脚３の上端を受持しながら下降させる際の担持動作となり、解除レバー９を操作しながらの前脚３の下降が簡単に行える。
なお、作業台１の姿勢変更は、前脚３を必ずしも昇降させる必要がなく、天板２及び後脚４に対して相対的に昇降させればよい。即ち、使用姿勢Ａで解除レバー９を回動してロックを解除した状態から、前脚３の下端を接地したまま、上部を前側へ移動して前脚３を垂直姿勢にし、さらに前脚３を前傾姿勢にしていくと、後脚４は下端を中心に前方へ傾動し、これとともに天板２は前方へ移動して前脚３に沿うように折りたたまれ、前記解除レバー９をもったまま前脚３を地上に横たえれば、作業台１は折りたたみ姿勢Ｂで横置きされ、解除レバー９から手を離せば折りたたみロック状態になる。
【００３２】
また使用姿勢Ａにするには、前記横置き折りたたみロック状態から解除レバー９を回動（矢印Ｓ方向）してロックを解除し、解除レバー９を把持したまま持ち上げ、前脚３と後脚４の下端が接地してから、さらに天板２を上昇させながら、前脚３又は後脚４の一方を他方に対して前後開き方向へ移動させ、前脚３の上端の端面部材３Ｃが連結具１４の受持面１４ａに当接した時点で、解除レバー９から手をはなしてロックピン７をロックピン孔１９ａに係合させればよい。
【００３３】
図９はロック機構５の変形例を示しており、このロック機構５は、天板２の左右に一対配置されており、左右の平行部７ｃが左右方向内方へ突出した延長部７ｆを有し、左右延長部７ｆにパイプ製の連動部材１１の両端が摺動自在に嵌合され、左右解除レバー９を連結している。
前記連動部材１１は両端が平行部７ｃまで嵌合しており、第２屈曲部７ｄとの干渉を回避するために端面から切欠１１ａが形成されている。
【００３４】
変形例のロック機構５は、作業台１の前方又は側方に立って、連動部材１１を把持して外上向きへ移動することにより、左右両解除レバー９を同時に天板２に対して外下向き姿勢から外上向き（矢印Ｓ方向）へ回動操作することができ、その際、延長部７ｆが連動部材１１に対して相対移動することにより、左右解除レバー９はピン軸芯方向移動が許容され、同時に回動される。
【００３５】
なお、本発明は前記実施形態における各部材の形状及びそれぞれの前後・左右・上下の位置関係は、図１〜９に示すように構成することが最良である。しかし、前記実施形態に限定されるものではなく、部材、構成を種々変形したり、組み合わせを変更したりすることもできる。
例えば、ロック機構５は折りたたみ式の足場台、踏み台等と呼称されるものにも適用可能である。使用姿勢Ａでの開脚角は前脚３と後脚４とを同一にしてもよい。
【符号の説明】
【００３６】
１        折りたたみ作業台
２        天板
３        前脚
４        後脚
５        ロック機構
６        支持材
７        ロックピン
８        付勢手段
９        解除レバー
１０      ピン後退手段
１１      連動部材
Ａ        使用姿勢
Ｂ        折りたたみ姿勢
【図１】
0005462714.tif 000002
【図２】
0005462714.tif 000003
【図３】
0005462714.tif 000004
【図４】
0005462714.tif 000005
【図５】
0005462714.tif 000006
【図６】
0005462714.tif 000007
【図７】
0005462714.tif 000008
【図８】
0005462714.tif 000009
【図９】
0005462714.tif 000010